(57)【要約】【課題】番組共有される多重放送の番組のチャンネルを好適に切り替えることができる放送受信機及び放送受信機のチャンネル選択装置を実現する。【解決手段】放送受信機１００は、受信機本体１が受信した放送信号が番組共有に係る放送信号で多重放送に関する複数の多重信号を含んでいる場合、その番組共有に係る同一の番組が対応つけられた各チャンネルに異なる多重信号に応じた放送信号を振り分けて設定し、各チャンネルにおいて異なる多重信号に応じた放送信号に基づきそれぞれ異なる音声や画像による番組放映を行うことを可能にした。そして、放送受信機１００は、放送信号に応じた番組のチャンネルを選択するための放送受信機のリモコン３０を備え、そのリモコンの上下キーによって、チャンネル全般の切り替えを行い、左右キーによって番組共有に係る同一の番組が対応つけられたチャンネルを切り替えるようにした。【選択図】図１
2006332851.tif 000002
【特許請求の範囲】
【請求項１】
所定の放送に関する放送信号を受信する受信部と、
前記受信部が受信した前記放送信号に基づく音声を出力する音声出力部と、
前記受信部が受信した前記放送信号に基づく画像を表示する画像表示部と、
前記受信部が受信した前記放送信号における、複数のチャンネルに対応つけられた番組共有に係る同一の番組の放送信号に、多重放送に関する複数の多重信号が含まれているか否かを判断する判断手段と、
前記判断手段が、前記放送信号に多重放送に関する複数の多重信号が含まれていると判断した場合、番組共有に係る同一の番組が対応つけられた各チャンネルに、異なる多重信号に応じた放送信号を振り分けて設定する多重放送設定手段と、
を備え、その番組共有に係る同一の番組が対応つけられた各チャンネルで、異なる多重信号に応じた放送信号に基づき、それぞれ異なる音声や画像による番組放映を行う放送受信機であって、
前記受信部が受信した前記放送信号に応じた番組が対応つけられたチャンネルを切り替える指示を入力するための上下キー及び左右キーを有するチャンネル切替手段と、
前記上下キーと前記左右キーのいずれか一方が指示操作されることによって、番組共有に係る同一の番組が対応つけられた各チャンネルを切り替えるとともに、そのチャンネルにおける異なる多重信号に応じた放送信号に基づく音声と、放送信号に基づく字幕を含む画像の、いずれか一方を切り替え、前記上下キーと前記左右キーが同時に指示操作されることによって、番組共有に係る同一の番組が対応つけられた各チャンネルを切り替えるとともに、そのチャンネルにおける異なる多重信号に応じた放送信号に基づく音声と、放送信号に基づく字幕を含む画像の、他方を切り替える制御手段と、を備えることを特徴とする放送受信機。
【請求項２】
所定の放送に関する放送信号を受信する受信部と、前記受信部が受信した前記放送信号に基づく音声を出力する音声出力部と、前記受信部が受信した前記放送信号に基づく画像を表示する画像表示部と、を備える放送受信機において、
前記受信部が受信した前記放送信号における、複数のチャンネルに対応つけられた番組共有に係る同一の番組の放送信号に、多重放送に関する複数の多重信号が含まれているか否かを判断する判断手段と、
前記判断手段が、前記放送信号に多重放送に関する複数の多重信号が含まれていると判断した場合、番組共有に係る同一の番組が対応つけられた各チャンネルに、異なる多重信号に応じた放送信号を振り分けて設定する多重放送設定手段と、
を備えることを特徴とする放送受信機。
【請求項３】
前記受信部が受信した前記放送信号に応じた番組が対応つけられたチャンネルを切り替えるためのチャンネル切替手段を備え、前記チャンネル切替手段は、番組共有に係る同一の番組が対応つけられた各チャンネルを切り替える番組共有チャンネル切替手段を有することを特徴とする請求項２に記載の放送受信機。
【請求項４】
前記チャンネル切替手段は、前記チャンネルを切り替える指示を入力するための上下キー及び左右キーを有し、この上下キーと左右キーのいずれか一方に、番組共有に係る同一の番組が対応つけられた各チャンネルを切り替える前記番組共有チャンネル切替手段としての機能が割り当てられ、その他方に、番組共有に係る同一の番組が対応つけられたチャンネル以外のチャンネルを切り替える機能が割り当てられていることを特徴とする請求項３に記載の放送受信機。
【請求項５】
前記上下キーと前記左右キーのいずれか一方を指示操作することによって、番組共有に係る同一の番組が対応つけられた各チャンネルを切り替えるとともに、そのチャンネルで
は、異なる多重信号に応じた放送信号に基づく音声と画像の、いずれか一方が切り替えられ、
前記上下キーと前記左右キーを同時に指示操作することによって、番組共有に係る同一の番組が対応つけられた各チャンネルを切り替えるとともに、そのチャンネルでは、異なる多重信号に応じた放送信号に基づく音声と画像の、他方が切り替えられることを特徴とする請求項４に記載の放送受信機。
【請求項６】
前記放送信号に基づく画像には、前記画像表示部に表示される字幕が含まれることを特徴とする請求項２〜５のいずれか一項に記載の放送受信機。
【請求項７】
所定の放送に関する放送信号を受信する受信部と、前記受信部が受信した前記放送信号に基づく音声を出力する音声出力部と、前記受信部が受信した前記放送信号に基づく画像を表示する画像表示部と、を有し、前記受信部が受信した前記放送信号における、複数のチャンネルに対応つけられた番組共有に係る同一の番組の放送信号に、多重放送に関する複数の多重信号が含まれている場合に、その番組共有に係る同一の番組が対応つけられた各チャンネルに、異なる多重信号に応じた放送信号を振り分けて設定し、その番組共有に係る同一の番組が対応つけられた各チャンネルで、異なる多重信号に応じた放送信号に基づき、それぞれ異なる音声や画像による番組放映を行う放送受信機に備えられ、前記放送信号に応じた番組が対応つけられたチャンネルを選択するための放送受信機のチャンネル選択装置であって、
前記受信部が受信した前記放送信号に応じた番組が対応つけられたチャンネルを切り替える指示を入力するための上下キー及び左右キーを有するチャンネル切替手段を備え、前記上下キーと前記左右キーのいずれか一方を指示操作することによって、番組共有に係る同一の番組が対応つけられた各チャンネルを切り替えるとともに、そのチャンネルでは、異なる多重信号に応じた放送信号に基づく音声と、放送信号に基づく字幕を含む画像の、いずれか一方が切り替えられ、前記上下キーと前記左右キーを同時に指示操作することによって、番組共有に係る同一の番組が対応つけられた各チャンネルを切り替えるとともに、そのチャンネルでは、異なる多重信号に応じた放送信号に基づく音声と、放送信号に基づく字幕を含む画像の、他方が切り替えられることを特徴とする放送受信機のチャンネル選択装置。
【請求項８】
所定の放送に関する放送信号を受信する受信部と、前記受信部が受信した前記放送信号に基づく音声を出力する音声出力部と、前記受信部が受信した前記放送信号に基づく画像を表示する画像表示部と、を有し、前記受信部が受信した前記放送信号における、複数のチャンネルに対応つけられた番組共有に係る同一の番組の放送信号に、多重放送に関する複数の多重信号が含まれている場合に、その番組共有に係る同一の番組が対応つけられた各チャンネルに、異なる多重信号に応じた放送信号を振り分けて設定する放送受信機に備えられ、前記放送信号に応じた番組が対応つけられたチャンネルを選択するための放送受信機のチャンネル選択装置において、
前記受信部が受信した前記放送信号に応じた番組が対応つけられたチャンネルを切り替えるチャンネル切替手段を備え、当該チャンネル切替手段は、番組共有に係る同一の番組が対応つけられた各チャンネルを切り替える番組共有チャンネル切替手段を有することを特徴とする放送受信機のチャンネル選択装置。
【請求項９】
前記チャンネル切替手段は、前記チャンネルを切り替える指示を入力するための、所定の方向に沿う入力指示が可能な第１の入力キーと、前記第１の入力キーと交差する方向に沿う入力指示が可能な第２の入力キーと、を有し、
前記第１の入力キーには、番組共有に係る同一の番組が対応つけられた各チャンネルを切り替える前記番組共有チャンネル切替手段としての機能が割り当てられ、
前記第２の入力キーには、番組共有に係る同一の番組が対応つけられたチャンネル以外
のチャンネルを切り替える機能が割り当てられていることを特徴とする請求項８に記載の放送受信機のチャンネル選択装置。
【請求項１０】
前記第１の入力キーは、前記放送受信機のチャンネル選択装置における上下方向に沿う入力指示が可能な上下キーと、左右方向に沿う入力指示が可能な左右キーのいずれか一方であり、前記第２の入力キーは、その他方であることを特徴とする請求項９に記載の放送受信機のチャンネル選択装置。
【請求項１１】
前記第１の入力キーと前記第２の入力キーのいずれか一方を指示操作することによって、番組共有に係る同一の番組が対応つけられた各チャンネルを切り替えるとともに、そのチャンネルでは、異なる多重信号に応じた放送信号に基づく音声と画像の、いずれか一方が切り替えられ、
前記第１の入力キーと前記第２の入力キーを同時に指示操作することによって、番組共有に係る同一の番組が対応つけられた各チャンネルを切り替えるとともに、そのチャンネルでは、異なる多重信号に応じた放送信号に基づく音声と画像の、他方が切り替えられることを特徴とする請求項９又は１０に記載の放送受信機のチャンネル選択装置。
【請求項１２】
前記放送信号に基づく画像には、前記画像表示部に表示される字幕が含まれることを特徴とする請求項８〜１１のいずれか一項に記載の放送受信機のチャンネル選択装置。
【発明の詳細な説明】
【技術分野】
【０００１】
本発明は、放送受信機及び放送受信機のチャンネル選択装置に関する。
【背景技術】
【０００２】
従来、テレビなどの放送受信機により受信可能な情報媒体としてアナログ放送、ＢＳデジタル放送、ＣＳデジタル放送、ケーブル放送などがある。近年では地上波デジタル放送も加わり益々受信できるチャンネルの数が多くなり、ユーザにとっては多種、多様な放送から好みに合ったチャンネルを選択し、その番組放送を楽しむことが可能になっている。
【０００３】
その反面、チャンネル数の増加に伴って、そのチャンネル選択に使用するリモートコントロール送信装置（以下、リモコン）などに設ける操作ボタンやスイッチ、キーの数が多くなることによって、そのリモコンの操作性が悪化してしまうことがあるので、様々な対策が取られている。
【０００４】
例えば、放送受信機において受信可能な各種放送形態（ＢＳデジタル放送、ＣＳデジタル放送、地上波デジタル放送など）における各チャンネルに亘ってチャンネルを選択することができる全チャンネル選択キーと、各種放送形態の何れかに対応するように切り替えられ、その放送形態におけるチャンネルのみを選択することができる個別チャンネル選択キーと、を有し、多くのチャンネルから所望するチャンネルを容易に選択することを可能にしたリモコンが知られている（例えば、特許文献１参照。）。
【０００５】
また、放送受信機において受信可能な各種放送形態毎に、チャンネル群のグループ化を行い、そのグループ化された複数のチャンネルの中から所望するチャンネルを所定のチャンネル選択キーによって容易に選択することを可能にしたリモコンが知られている（例えば、特許文献２参照。）。
【０００６】
また、デジタル／アナログ放送におけるチャンネルは、メインチャンネルと、様々なコンテンツを発信するためにメインチャンネルに含まれるサブチャンネルとからなり、各チャンネルは階層的に設けられている。サブチャンネルの構成は、放送時間帯によって変動し、その一例として、メインチャンネル“４”のある時間帯（ＰＭ８：００〜ＰＭ１２：００）におけるサブチャンネルの構成を図９に示す。
【０００７】
図９に示すように、ＰＭ８：００〜ＰＭ９：００では、“０”〜“４”のサブチャンネルが、ＰＭ９：００〜ＰＭ１０：００では、“０”及び“１”のサブチャンネルが、ＰＭ１０：００〜ＰＭ１１：００では、“０”〜“４”のサブチャンネルが、ＰＭ１１：００〜ＰＭ１２：００では、“０”〜“３”のサブチャンネルが放送される。ここで、サブチャンネルが“０”（チャンネル“４−０”）のチャンネルはＮＴＳＣ（National Television Systems Committee）規格によるアナログ放送であり、サブチャンネルが“１”〜“
４”（チャンネル“４−１”〜“４−４”）のチャンネルはデジタル放送である。なお、チャンネル“４−０”で放映されるＴＶ番組は従前からのアナログ放送のテレビジョン番組であり、チャンネル“４−１”〜“４−４”で放映されるＳＤ（Standard Definition
）番組はデジタル放送の標準画質番組であり、チャンネル“４−１”で放映されるＨＤ（High Definition）番組はデジタル放送の高画質番組である。
【０００８】
このようなメインチャンネルやサブチャンネルの切り替えを好適に行うために、メインチャンネルを切り替える切替キーとは別に、サブチャンネルを切り替えるためのサブチャンネル切替キーを設けたリモコンが知られている（例えば、特許文献３参照。）。
【０００９】
また、リモコンに設けられている上下左右への４方向キーにおける、上下キーにメインチャンネルを切り替えるための機能を付与し、左右キーにサブチャンネルを切り替えるための機能を付与するように、既存のキーにメインチャンネルの切り替え選択とサブチャン
ネルの切り替え選択とが振り分けられて割り当てられているリモコンが知られている（例えば、特許文献４参照。）。
【特許文献１】特開２００５−３３２６８号公報
【特許文献２】特開２００４−１７９７１７号公報
【特許文献３】特開２００２−２３２７９４号公報
【特許文献４】特開２００２−２２３３９６号公報
【発明の開示】
【発明が解決しようとする課題】
【００１０】
しかしながら、上記従来技術の場合、好適にチャンネルの選択や切り替えを行うことはできるが、そのチャンネルに対応する番組放送が多重放送であり、映像、音声（日本語／英語）、字幕（有／無）などに関する多重化信号が含まれている場合、放送受信機は、デフォルトの設定に応じて、例えば、映像、日本語音声、字幕無しの標準設定によって、そのチャンネルの番組を放映することとなるので、その音声や字幕（映像）に関する設定は、ユーザが好みにあわせて切り替える必要があった。
【００１１】
そして、近年のデジタル放送などにおいては、番組共有として、同一時刻に同一の番組が複数のチャンネル（例えば、ＮＨＫ−Ｇ０１１，０１２）で放映されることがある。このような番組共有の際に、その番組が多重化信号を含む多重放送であっても、各チャンネル（ＮＨＫ−Ｇ０１１，０１２）においてはデフォルト設定に応じて、映像（字幕）や音声が同じ番組が放映されることとなる。
【００１２】
つまり、多重放送の番組が番組共有される場合、例えば、チャンネルをＮＨＫ−Ｇ０１１からＮＨＫ−Ｇ０１２に切り替えたとしても、その放送受信機における２つのチャンネルにおいて、デフォルト設定に応じた全く同一の番組が放映されることとなるので、各チャンネルが別個に設定されている有用性がほとんどないということがあった。
【００１３】
本発明の目的は、番組共有される多重放送の番組のチャンネルを好適に切り替えることができる放送受信機及び放送受信機のチャンネル選択装置を提供することである。
【課題を解決するための手段】
【００１４】
以上の課題を解決するため、請求項１記載の発明は、所定の放送に関する放送信号を受信する受信部と、前記受信部が受信した前記放送信号に基づく音声を出力する音声出力部と、前記受信部が受信した前記放送信号に基づく画像を表示する画像表示部と、前記受信部が受信した前記放送信号における、複数のチャンネルに対応つけられた番組共有に係る同一の番組の放送信号に、多重放送に関する複数の多重信号が含まれているか否かを判断する判断手段と、前記判断手段が、前記放送信号に多重放送に関する複数の多重信号が含まれていると判断した場合、番組共有に係る同一の番組が対応つけられた各チャンネルに、異なる多重信号に応じた放送信号を振り分けて設定する多重放送設定手段と、を備え、その番組共有に係る同一の番組が対応つけられた各チャンネルで、異なる多重信号に応じた放送信号に基づき、それぞれ異なる音声や画像による番組放映を行う放送受信機であって、前記受信部が受信した前記放送信号に応じた番組が対応つけられたチャンネルを切り替える指示を入力するための上下キー及び左右キーを有するチャンネル切替手段と、前記上下キーと前記左右キーのいずれか一方が指示操作されることによって、番組共有に係る同一の番組が対応つけられた各チャンネルを切り替えるとともに、そのチャンネルにおける異なる多重信号に応じた放送信号に基づく音声と、放送信号に基づく字幕を含む画像の、いずれか一方を切り替え、前記上下キーと前記左右キーが同時に指示操作されることによって、番組共有に係る同一の番組が対応つけられた各チャンネルを切り替えるとともに、そのチャンネルにおける異なる多重信号に応じた放送信号に基づく音声と、放送信号に基づく字幕を含む画像の、他方を切り替える制御手段と、を備えることを特徴とする。
【００１５】
請求項２記載の発明は、所定の放送に関する放送信号を受信する受信部と、前記受信部が受信した前記放送信号に基づく音声を出力する音声出力部と、前記受信部が受信した前記放送信号に基づく画像を表示する画像表示部と、を備える放送受信機において、前記受信部が受信した前記放送信号における、複数のチャンネルに対応つけられた番組共有に係る同一の番組の放送信号に、多重放送に関する複数の多重信号が含まれているか否かを判断する判断手段と、前記判断手段が、前記放送信号に多重放送に関する複数の多重信号が含まれていると判断した場合、番組共有に係る同一の番組が対応つけられた各チャンネルに、異なる多重信号に応じた放送信号を振り分けて設定する多重放送設定手段と、を備えることを特徴とする。
【００１６】
請求項３記載の発明は、請求項２に記載の放送受信機において、前記受信部が受信した前記放送信号に応じた番組が対応つけられたチャンネルを切り替えるためのチャンネル切替手段を備え、前記チャンネル切替手段は、番組共有に係る同一の番組が対応つけられた各チャンネルを切り替える番組共有チャンネル切替手段を有することを特徴とする。
【００１７】
請求項４記載の発明は、請求項３に記載の放送受信機において、前記チャンネル切替手段は、前記チャンネルを切り替える指示を入力するための上下キー及び左右キーを有し、この上下キーと左右キーのいずれか一方に、番組共有に係る同一の番組が対応つけられた各チャンネルを切り替える前記番組共有チャンネル切替手段としての機能が割り当てられ、その他方に、番組共有に係る同一の番組が対応つけられたチャンネル以外のチャンネルを切り替える機能が割り当てられていることを特徴とする。
【００１８】
請求項５記載の発明は、請求項４に記載の放送受信機において、前記上下キーと前記左右キーのいずれか一方を指示操作することによって、番組共有に係る同一の番組が対応つけられた各チャンネルを切り替えるとともに、そのチャンネルでは、異なる多重信号に応じた放送信号に基づく音声と画像の、いずれか一方が切り替えられ、前記上下キーと前記左右キーを同時に指示操作することによって、番組共有に係る同一の番組が対応つけられた各チャンネルを切り替えるとともに、そのチャンネルでは、異なる多重信号に応じた放送信号に基づく音声と画像の、他方が切り替えられることを特徴とする。
【００１９】
請求項６記載の発明は、請求項２〜５のいずれか一項に記載の放送受信機において、前記放送信号に基づく画像には、前記画像表示部に表示される字幕が含まれることを特徴とする。
【００２０】
請求項７記載の発明は、所定の放送に関する放送信号を受信する受信部と、前記受信部が受信した前記放送信号に基づく音声を出力する音声出力部と、前記受信部が受信した前記放送信号に基づく画像を表示する画像表示部と、を有し、前記受信部が受信した前記放送信号における、複数のチャンネルに対応つけられた番組共有に係る同一の番組の放送信号に、多重放送に関する複数の多重信号が含まれている場合に、その番組共有に係る同一の番組が対応つけられた各チャンネルに、異なる多重信号に応じた放送信号を振り分けて設定し、その番組共有に係る同一の番組が対応つけられた各チャンネルで、異なる多重信号に応じた放送信号に基づき、それぞれ異なる音声や画像による番組放映を行う放送受信機に備えられ、前記放送信号に応じた番組が対応つけられたチャンネルを選択するための放送受信機のチャンネル選択装置であって、前記受信部が受信した前記放送信号に応じた番組が対応つけられたチャンネルを切り替える指示を入力するための上下キー及び左右キーを有するチャンネル切替手段を備え、前記上下キーと前記左右キーのいずれか一方を指示操作することによって、番組共有に係る同一の番組が対応つけられた各チャンネルを切り替えるとともに、そのチャンネルでは、異なる多重信号に応じた放送信号に基づく音声と、放送信号に基づく字幕を含む画像の、いずれか一方が切り替えられ、前記上下キーと前記左右キーを同時に指示操作することによって、番組共有に係る同一の番組が対応つけ
られた各チャンネルを切り替えるとともに、そのチャンネルでは、異なる多重信号に応じた放送信号に基づく音声と、放送信号に基づく字幕を含む画像の、他方が切り替えられることを特徴とする。
【００２１】
請求項８記載の発明は、所定の放送に関する放送信号を受信する受信部と、前記受信部が受信した前記放送信号に基づく音声を出力する音声出力部と、前記受信部が受信した前記放送信号に基づく画像を表示する画像表示部と、を有し、前記受信部が受信した前記放送信号における、複数のチャンネルに対応つけられた番組共有に係る同一の番組の放送信号に、多重放送に関する複数の多重信号が含まれている場合に、その番組共有に係る同一の番組が対応つけられた各チャンネルに、異なる多重信号に応じた放送信号を振り分けて設定する放送受信機に備えられ、前記放送信号に応じた番組が対応つけられたチャンネルを選択するための放送受信機のチャンネル選択装置において、前記受信部が受信した前記放送信号に応じた番組が対応つけられたチャンネルを切り替えるチャンネル切替手段を備え、当該チャンネル切替手段は、番組共有に係る同一の番組が対応つけられた各チャンネルを切り替える番組共有チャンネル切替手段を有することを特徴とする。
【００２２】
請求項９記載の発明は、請求項８に記載の放送受信機のチャンネル選択装置において、前記チャンネル切替手段は、前記チャンネルを切り替える指示を入力するための、所定の方向に沿う入力指示が可能な第１の入力キーと、前記第１の入力キーと交差する方向に沿う入力指示が可能な第２の入力キーと、を有し、前記第１の入力キーには、番組共有に係る同一の番組が対応つけられた各チャンネルを切り替える前記番組共有チャンネル切替手段としての機能が割り当てられ、前記第２の入力キーには、番組共有に係る同一の番組が対応つけられたチャンネル以外のチャンネルを切り替える機能が割り当てられていることを特徴とする。
【００２３】
請求項１０記載の発明は、請求項９に記載の放送受信機のチャンネル選択装置において、前記第１の入力キーは、前記放送受信機のチャンネル選択装置における上下方向に沿う入力指示が可能な上下キーと、左右方向に沿う入力指示が可能な左右キーのいずれか一方であり、前記第２の入力キーは、その他方であることを特徴とする。
【００２４】
請求項１１記載の発明は、請求項９又は１０に記載の放送受信機のチャンネル選択装置において、前記第１の入力キーと前記第２の入力キーのいずれか一方を指示操作することによって、番組共有に係る同一の番組が対応つけられた各チャンネルを切り替えるとともに、そのチャンネルでは、異なる多重信号に応じた放送信号に基づく音声と画像の、いずれか一方が切り替えられ、前記第１の入力キーと前記第２の入力キーを同時に指示操作することによって、番組共有に係る同一の番組が対応つけられた各チャンネルを切り替えるとともに、そのチャンネルでは、異なる多重信号に応じた放送信号に基づく音声と画像の、他方が切り替えられることを特徴とする。
【００２５】
請求項１２記載の発明は、請求項８〜１１のいずれか一項に記載の放送受信機のチャンネル選択装置において、前記放送信号に基づく画像には、前記画像表示部に表示される字幕が含まれることを特徴とする。
【発明の効果】
【００２６】
請求項１記載の発明によれば、放送受信機は、受信部が受信した放送信号が番組共有に係る放送信号であり、その放送信号に多重放送に関する複数の多重信号が含まれている場合、その番組共有に係る同一の番組が対応つけられた各チャンネルに、異なる多重信号に応じた放送信号を振り分けて設定することができる。そして、その番組共有に係る同一の番組が対応つけられた各チャンネルで、異なる多重信号に応じた放送信号に基づき、それぞれ異なる音声や画像による番組放映を行うことができる。
【００２７】
そして、この放送受信機において、チャンネル切替手段が有する上下キーと左右キーのいずれか一方を指示操作することによって、番組共有に係る同一の番組が対応つけられた各チャンネルを切り替えるとともに、その切り替えられたチャンネルでは異なる多重信号に応じた放送信号に基づく音声と、字幕を含む画像のいずれか一方が切り替えられる。また、上下キーと左右キーを同時に指示操作することによって、番組共有に係る同一の番組が対応つけられた各チャンネルを切り替えるとともに、その切り替えられたチャンネルでは異なる多重信号に応じた放送信号に基づく音声と、字幕を含む画像の他方が切り替えられる。
【００２８】
つまり、番組共有に係る同一の番組が対応つけられた各チャンネルを切り替えるための機能をそれぞれ異なる上下キーや左右キーに割り当てることにより、各チャンネルを切り替える際に、その異なるキー（上下キー、左右キー）を操作することによって、多重信号に応じた放送信号に基づく音声と、字幕を含む画像の切り替えをそれぞれ行うようにして、チャンネルの切り替えに伴い、音声のみを切り替えることと、字幕を含む画像のみを切り替えることを可能にした。
【００２９】
特に、上下キーと左右キーを同時に指示操作することに対して、チャンネルとともに音声や、字幕を含む画像を切り替える機能を割り当てるので、そのチャンネル変更などを行うための新たなキーを設ける必要がない。従って、新たなキーなどを設けることに伴い、放送受信機におけるチャンネル切替手段の操作性を悪化させてしまうことを防止することができる。
【００３０】
このように、番組共有に係る同一の番組が対応つけられた各チャンネルに、異なる多重信号に応じた放送信号が振り分けられているので、上下キーや左右キーなどを操作し、各チャンネルを切り替えることによって、異なる多重信号に応じた放送信号に基づく番組放送、例えば、音声の種類（日本語、英語）や字幕の有無が異なる番組放送を視聴することができる。
【００３１】
よって、番組共有される多重放送の番組のチャンネルを切り替えることに伴い、その多重放送における異なる多重信号に応じて音声や画像（字幕）などが異なるように切り替えられるので、チャンネルを切り替えた後に、多重放送に関する音声や画像（字幕）などを切り替えるための別操作は不要となる。すなわち、チャンネルを切り替えた後に、デフォルメ設定から多重放送における所望する音声や画像（字幕）に切り替える操作が簡便化される。
【００３２】
従って、この放送受信機は、番組共有される多重放送の番組のチャンネルを好適に切り替えることができる放送受信機であるといえる。
【００３３】
請求項２記載の発明によれば、放送受信機は、受信部が受信した放送信号が番組共有に係る放送信号であり、その放送信号に多重放送に関する複数の多重信号が含まれている場合、その番組共有に係る同一の番組が対応つけられた各チャンネルに、異なる多重信号に応じた放送信号を振り分けて設定することができる。
【００３４】
つまり、番組共有に係る同一の番組が対応つけられた各チャンネルに、異なる多重信号に応じた放送信号が振り分けられているので、各チャンネルを切り替えて、そのチャンネルに対応つけられた放送信号に基づく番組放送を視聴する場合、異なる多重信号に応じた放送信号に基づく番組放送を視聴することができる。
【００３５】
よって、番組共有される多重放送の番組のチャンネルを切り替えることに伴い、その多重放送における異なる多重信号に応じて、音声や画像などが異なるように切り替えられるので、チャンネルを切り替えた後に、多重放送に関する音声や画像などを切り替えるための別操作は不要となる。すなわち、チャンネルを切り替えた後に、デフォルメ設定から多重放送における所望する音声や画像に切り替える操作が簡便化される。
【００３６】
従って、この放送受信機は、番組共有される多重放送の番組のチャンネルを好適に切り替えることができる放送受信機であるといえる。
【００３７】
請求項３記載の発明によれば、請求項２に記載の発明と同様の効果が得られることは無論のこと、放送受信機は、チャンネル切替手段によって、放送信号に応じた番組が対応つけられたチャンネルが切り替えられるようになっている。そして、そのチャンネル切替手段が有する番組共有チャンネル切替手段によって、番組共有に係る同一の番組が対応つけられた各チャンネルが切り替えられるようになっている。
【００３８】
つまり、所定の放送に関する放送信号に応じた番組のチャンネルを全般的に切り替えるチャンネル切替手段には、特に、番組共有に係る同一の番組が対応つけられた各チャンネルが切り替えるための番組共有チャンネル切替手段があるので、好適に番組共有される多重放送の番組のチャンネルを切り替えることができる。
【００３９】
請求項４記載の発明によれば、請求項３に記載の発明と同様の効果が得られることは無論のこと、チャンネル切替手段は、チャンネルを切り替える指示を入力するための上下キーと左右キーを有する。そして、この上下キーと左右キーのいずれか一方に、番組共有に係る同一の番組が対応つけられた各チャンネルを切り替える機能が割り当てられ、その他方に、番組共有に係る同一の番組が対応つけられたチャンネル以外のチャンネルを切り替える機能が割り当てられている。
【００４０】
つまり、チャンネル切替手段が有する上下キーと左右キーのそれぞれに、番組共有に係る同一の番組が対応つけられたチャンネルの切り替えを行う機能と、それ以外のチャンネルの切り替えを行う機能とが割り当てられているので、それぞれのチャンネルの切り替えを好適に行うことができる。
【００４１】
請求項５記載の発明によれば、請求項４に記載の発明と同様の効果が得られることは無論のこと、放送受信機において、上下キーと左右キーのいずれか一方を指示操作することによって、番組共有に係る同一の番組が対応つけられた各チャンネルを切り替えるとともに、その切り替えられたチャンネルでは異なる多重信号に応じた放送信号に基づく音声と画像のいずれか一方が切り替えられる。そして、上下キーと左右キーを同時に指示操作することによって、番組共有に係る同一の番組が対応つけられた各チャンネルを切り替えるとともに、その切り替えられたチャンネルでは異なる多重信号に応じた放送信号に基づく音声と画像の他方が切り替えられる。
【００４２】
つまり、番組共有に係る同一の番組が対応つけられた各チャンネルを切り替えるための機能をそれぞれ異なるキーに割り当てることにより、各チャンネルを切り替える際に、その異なるキーによって、多重信号に応じた放送信号に基づく音声と画像の切り替えをそれぞれ行うようにして、チャンネルの切り替えに伴い、音声のみを切り替えることと、画像のみを切り替えることを可能にした。
【００４３】
特に、上下キーと左右キーを同時に指示操作することに対して、チャンネルとともに音声や画像を切り替える機能を割り当てるので、そのチャンネル変更などを行うための新たなキーを設ける必要がない。従って、新たなキーなどを設けることに伴い、放送受信機におけるチャンネル切替手段の操作性を悪化させてしまうことを防止することができる。
【００４４】
請求項６記載の発明によれば、請求項２〜５のいずれか一項に記載の発明と同様の効果が得られることは無論のこと、放送信号に基づく画像には、画像表示部に表示される字幕が含まれるので、放送受信機は、画像表示部に表示する画像における字幕の種類や、字幕の有無を切り替えることにより、様々な映像表現が可能になる。
【００４５】
請求項７記載の発明によれば、放送受信機のチャンネル選択装置は、放送受信機の受信部が受信した放送信号が番組共有に係る放送信号であり、その放送信号に多重放送に関する複数の多重信号が含まれている場合、その番組共有に係る同一の番組が対応つけられた各チャンネルに、異なる多重信号に応じた放送信号を振り分けて設定し、その番組共有に係る同一の番組が対応つけられた各チャンネルで、異なる多重信号に応じた放送信号に基
づき、それぞれ異なる音声や画像による番組放映を行う放送受信機に備えられている。
【００４６】
そして、この放送受信機のチャンネル選択装置のチャンネル切替手段が有する上下キーと左右キーのいずれか一方を指示操作することによって、放送受信機において番組共有に係る同一の番組が対応つけられた各チャンネルを切り替えるとともに、その切り替えられたチャンネルでは異なる多重信号に応じた放送信号に基づく音声と、字幕を含む画像のいずれか一方が切り替えられる。また、上下キーと左右キーを同時に指示操作することによって、番組共有に係る同一の番組が対応つけられた各チャンネルを切り替えるとともに、その切り替えられたチャンネルでは異なる多重信号に応じた放送信号に基づく音声と、字幕を含む画像の他方が切り替えられる。
【００４７】
つまり、放送受信機において番組共有に係る同一の番組が対応つけられた各チャンネルを切り替えるための機能を、放送受信機のチャンネル選択装置が備えるチャンネル切替手段の上下キーや左右キーに割り当てることにより、各チャンネルを切り替える際に、その異なるキー（上下キー、左右キー）を操作することによって、多重信号に応じた放送信号に基づく音声と、字幕を含む画像の切り替えをそれぞれ行うようにして、チャンネルの切り替えに伴い、音声のみを切り替えることと、字幕を含む画像のみを切り替えることを可能にした。
【００４８】
特に、上下キーと左右キーを同時に指示操作することに対して、チャンネルとともに音声や、字幕を含む画像を切り替える機能を割り当てるので、そのチャンネル変更などを行うための新たなキーを設ける必要がない。従って、新たなキーなどを設けることに伴い、放送受信機のチャンネル選択装置におけるチャンネル切替手段の操作性を悪化させてしまうことを防止することができる。
【００４９】
このように、放送受信機において番組共有に係る同一の番組が対応つけられた各チャンネルに、異なる多重信号に応じた放送信号が振り分けられているので、放送受信機のチャンネル選択装置におけるチャンネル切替手段の上下キーや左右キーなどを操作し、各チャンネルを切り替えることによって、異なる多重信号に応じた放送信号に基づく番組放送、例えば、音声の種類（日本語、英語）や字幕の有無が異なる番組放送を視聴することができる。
【００５０】
よって、放送受信機において番組共有される多重放送の番組のチャンネルを切り替えることに伴い、その多重放送における異なる多重信号に応じて音声や画像（字幕）などが異なるように切り替えられるので、チャンネル選択装置でチャンネルを切り替えた後に、チャンネル選択装置で多重放送に関する音声や画像（字幕）などを切り替えるための別操作は不要となる。すなわち、チャンネルを切り替えた後に、デフォルメ設定から多重放送における所望する音声や画像（字幕）に切り替える操作が簡便化される。
【００５１】
従って、この放送受信機のチャンネル選択装置は、放送受信機において番組共有される多重放送の番組のチャンネルを好適に切り替えることができる放送受信機であるといえる。
【００５２】
請求項８記載の発明によれば、放送受信機のチャンネル選択装置は、放送受信機の受信部が受信した放送信号が番組共有に係る放送信号であり、その放送信号に多重放送に関する複数の多重信号が含まれている場合、その番組共有に係る同一の番組が対応つけられた各チャンネルに、異なる多重信号に応じた放送信号を振り分けて設定される放送受信機に備えられている。
【００５３】
そして、この放送受信機のチャンネル選択装置に備えられているチャンネル切替手段によって、放送信号に応じた番組が対応つけられた放送受信機におけるチャンネルが切り替えられるようになっている。そして、そのチャンネル切替手段が有する番組共有チャンネル切替手段によって、番組共有に係る同一の番組が対応つけられた各チャンネルが切り替えられるようになっている。
【００５４】
つまり、所定の放送に関する放送信号に応じた番組のチャンネルを全般的に切り替える
チャンネル切替手段には、特に、番組共有に係る同一の番組が対応つけられた各チャンネルが切り替えるための番組共有チャンネル切替手段があるので、好適に番組共有される多重放送の番組のチャンネルを切り替えることができる。
【００５５】
そして、この放送受信機において番組共有に係る同一の番組が対応つけられた各チャンネルに、異なる多重信号に応じた放送信号が振り分けられているので、放送受信機のチャンネル選択装置に備えられているチャンネル切替手段によって、各チャンネルを切り替えてそのチャンネルに対応つけられた放送信号に基づく番組放送を視聴することができる。
【００５６】
特に、チャンネル切替手段が有する番組共有チャンネル切替手段によって、番組共有に係る同一の番組が対応つけられた各チャンネルを切り替えることができる。
【００５７】
よって、放送受信機において番組共有される多重放送の番組のチャンネルを、チャンネル切替手段によって切り替えることに伴い、その多重放送における異なる多重信号に応じて、音声や画像などが異なるように切り替えられるので、チャンネルを切り替えた後に、多重放送に関する音声や画像などを切り替えるための別操作は不要となる。すなわち、チャンネルを切り替えた後に、デフォルメ設定から多重放送における所望する音声や画像に切り替える操作が簡便化される。
【００５８】
従って、この放送受信機のチャンネル選択装置は、番組共有される多重放送の番組のチャンネルを好適に切り替えることができる放送受信機であるといえる。
【００５９】
請求項９記載の発明によれば、請求項８に記載の発明と同様の効果が得られることは無論のこと、チャンネル切替手段は、チャンネルを切り替える指示を入力するための所定の方向に沿う入力指示が可能な第１の入力キーと、第１の入力キーと交差する方向に沿う入力指示が可能な第２の入力キーとを有する。そして、この第１の入力キーと第２の入力キーのいずれか一方に、番組共有に係る同一の番組が対応つけられた各チャンネルを切り替える機能が割り当てられ、その他方に、番組共有に係る同一の番組が対応つけられたチャンネル以外のチャンネルを切り替える機能が割り当てられている。
【００６０】
つまり、チャンネル切替手段が有する第１の入力キーと第２の入力キーのそれぞれに、番組共有に係る同一の番組が対応つけられたチャンネルの切り替えを行う機能と、それ以外のチャンネルの切り替えを行う機能とが割り当てられているので、それぞれのチャンネルの切り替えを好適に行うことができる。
【００６１】
請求項１０記載の発明によれば、請求項９に記載の発明と同様の効果が得られることは無論のこと、放送受信機のチャンネル選択装置におけるチャンネル切替手段の第１の入力キーは、放送受信機のチャンネル選択装置における上下方向に沿う入力指示が可能な上下キーと、左右方向に沿う入力指示が可能な左右キーのいずれか一方であり、チャンネル切替手段の第２の入力キーは、その他方である。
【００６２】
つまり、チャンネル切替手段が有する上下キーと左右キーのそれぞれに、番組共有に係る同一の番組が対応つけられたチャンネルの切り替えを行う機能と、それ以外のチャンネルの切り替えを行う機能とが割り当てられているので、それぞれのチャンネルの切り替えを好適に行うことができる。
【００６３】
請求項１１記載の発明によれば、請求項９又は１０に記載の発明と同様の効果が得られることは無論のこと、放送受信機のチャンネル選択装置において、上下キーと左右キーのいずれか一方を指示操作することによって、番組共有に係る同一の番組が対応つけられた各チャンネルを切り替えるとともに、その切り替えられたチャンネルでは異なる多重信号に応じた放送信号に基づく音声と画像のいずれか一方が切り替えられる。そして、上下キーと左右キーを同時に指示操作することによって、番組共有に係る同一の番組が対応つけられた各チャンネルを切り替えるとともに、その切り替えられたチャンネルでは異なる多重信号に応じた放送信号に基づく音声と画像の他方が切り替えられる。
【００６４】
つまり、番組共有に係る同一の番組が対応つけられた各チャンネルを切り替えるための
機能をそれぞれ異なるキーに割り当てることにより、各チャンネルを切り替える際に、その異なるキーによって、多重信号に応じた放送信号に基づく音声と画像の切り替えをそれぞれ行うようにして、チャンネルの切り替えに伴い、音声のみを切り替えることと、画像のみを切り替えることを可能にした。
【００６５】
特に、上下キーと左右キーを同時に指示操作することに対して、チャンネルとともに音声や画像を切り替える機能を割り当てるので、そのチャンネル変更などを行うための新たなキーを設ける必要がない。従って、新たなキーなどを設けることに伴い、放送受信機のチャンネル選択装置におけるチャンネル切替手段の操作性を悪化させてしまうことを防止することができる。
【００６６】
請求項１２記載の発明によれば、請求項８〜１１のいずれか一項に記載の発明と同様の効果が得られることは無論のこと、放送信号に基づく画像には、画像表示部に表示される字幕が含まれるので、放送受信機のチャンネル選択装置は、画像表示部に表示する画像における字幕の種類や、字幕の有無を切り替えることが可能であり、放送受信機において、様々な映像表現が可能になる。
【発明を実施するための最良の形態】
【００６７】
以下、図面を参照して本発明に係る放送受信機及び放送受信機のチャンネル選択装置の実施形態について詳細に説明する。なお、本実施の形態においては、放送受信機としてテレビ放送受信機（以下、放送受信機）、放送受信機のチャンネル選択装置としてリモコンを挙げて説明する。
【００６８】
（実施形態１）
図１は本発明に係る放送受信機１００の要部構成を示すブロック図であり、図２は本発明に係るリモコン３０の平面図である。
【００６９】
図１に示すように、放送受信機１００は、放送信号を受信する受信機本体１と、受信機本体１において受信された放送信号に基づく画像や音声を出力する表示装置２０と、受信機本体１が受信した放送信号に応じた番組が対応つけられたチャンネルを切り替えるリモコン３０等を備えている。
【００７０】
受信機本体１は、図１に示すように、所望のチャンネルに対応する周波数帯域に存在するデジタル／アナログ放送信号を、アンテナ１０を介して受信する受信部としてのチューナ２と、チューナ２により受信したデジタル／アナログ放送信号を復号するデジタルデコーダ３、アナログデコーダ４と、デジタルデコーダ３又はアナログデコーダ４によって復号された放送信号の伝達を切り替えるスイッチ５と、表示装置２０に所定のオンスクリーンディスプレイ（以下、ＯＳＤ）表示をさせるＯＳＤ回路６と、デジタル放送の各チャンネルの発信周波数やチャンネル構成情報を記憶するメモリ７と、放送受信機１００の各部を制御するＣＰＵなどからなる制御部８と、を備えている。なお、この受信機本体１に、リモコン３０と同様の入力操作を可能とする操作ボタン群を備えるようにしてもよい。
【００７１】
アンテナ１０は、テレビジョン放送局から発信される高周波（ＲＦ）の符号化されたデジタル／アナログ放送信号を受信する。
【００７２】
チューナ２は、アンテナ１０により受信されたデジタル／アナログ放送信号の供給を受けるとともに、ユーザがリモコン３０などから入力したチャンネル切り替えに関する指示に応じて選局処理を行い、選択されたチャンネルに対応する周波数帯域に存在するデジタル／アナログ放送信号を受信して、その放送信号を中間周波数（ＩＦ）に変調してデジタルデコーダ３及びアナログデコーダ４に出力する。
【００７３】
デジタルデコーダ３及びアナログデコーダ４は、チューナ２が受信した放送信号を復号する。なお、ユーザが選択したチャンネルがデジタル放送チャンネルであれば、デジタルデコーダ３にて復号処理（デコード）がなされる。ユーザが選択したチャンネルがアナログ放送チャンネルであれば、アナログデコーダ４にて復号処理（デコード）がなされる。
【００７４】
スイッチ５は、制御部８からの指令を受け、デジタルデコーダ３又はアナログデコーダ４のいずれかによって復号された放送信号をＯＳＤ回路６に出力するように、切り替えを行うようになっている。
【００７５】
ＯＳＤ回路６は、制御部８からの指令により、表示装置２０に放送信号を出力するとともに、受信可能なチャンネル情報に関する所定の一覧表示をさせるためのＯＳＤ表示信号を出力する。
【００７６】
メモリ７は、各チャンネルの周波数帯域に関する情報や、チャンネル構成情報を記憶するとともに、放送受信機１００の工場出荷時にＯＳＤ表示に関する情報が記憶されている。
【００７７】
制御部８は、ユーザによるリモコン３０などを用いた入力操作等を受けて、放送受信機１００の各部の制御をデータバス（Data-Bus）を介して行う。
【００７８】
そして、制御部８は、ユーザによるリモコン３０などからのチャンネルを切り替える入力指示により、チューナ２にチャンネル情報を含んだ放送信号を受信させ、その放送信号をデジタルデコーダ３によって復号処理することにより得られたチャンネル情報としてのＶＣＴ（Virtual Channel Table）を解析して、それに含まれるステータス信号を取得す
る制御処理を行う。このステータス信号には、そのチャンネルに対応する番組放送が多重放送である場合、そのチャンネルに対応する放送信号における多重放送に関する複数の多重信号の情報が含まれている。従って、制御部８は、ＶＣＴを解析することによって、そのチャンネルに対応する放送信号における多重放送に関する複数の多重信号の有無を判断することができる。すなわち、制御部８は、複数のチャンネルに対応つけられた番組共有に係る同一の番組の放送信号に、多重放送に関する複数の多重信号が含まれているか否かを判断する判断手段として機能する。また、同様に、制御部８は、チャンネル情報に基づき、受信した放送信号が番組共有に係る放送信号であるか否かを判断することもできる。
【００７９】
なお、制御部８は、各チャンネルの周波数帯域に関する情報や、受信したチャンネル情報や、取得したステータス信号をメモリ７に記憶させるとともに、これらの情報をチャンネル選局時等において、必要に応じて参照する制御処理を実行する。
【００８０】
また、制御部８は、判断手段としての制御部８が、放送信号に多重放送に関する複数の多重信号が含まれていると判断した場合、番組共有に係る同一の番組が対応つけられた各チャンネルに、異なる多重信号に応じた放送信号を振り分けて設定する多重放送設定手段として機能する。
【００８１】
例えば、多重放送設定手段としての制御部８は、番組共有に係る同一の番組が対応つけられた複数のチャンネル（例えば、ｃｈ０１１〜０１３）に対応する放送信号に、多重放送に関する音声多重信号として日本語音声信号（音声１）と英語音声信号（音声２）とが含まれていることや、多重信号に関する画像多重信号として字幕無信号と字幕有信号とが含まれていることを、判断手段としての制御部８が判断した場合に、ｃｈ０１１に「日本語音声（音声１）・字幕無」、ｃｈ０１２に「英語音声（音声２）・字幕無」、ｃｈ０１３に「英語音声（音声２）・字幕有」のように、各チャンネルに異なる多重信号に応じた放送信号を振り分けて設定する制御を行う。
【００８２】
また、制御部８は、後述するリモコン３０の上下キー３７ａ，３７ｂや左右キー３７ｃ，３７ｄが押下されたか否かを判断するキー操作判断手段として機能する。
【００８３】
このキー操作判断手段としての制御部８が、左右キー３７ｃ，３７ｄが押下されたと判
断した場合、制御部８は、番組共有に係る同一の番組が対応つけられた各チャンネル（例えば、ｃｈ０１１〜０１３）を切り替える制御を行う。
【００８４】
また、キー操作判断手段としての制御部８が、上下キー３７ａ，３７ｂが押下されたと判断した場合、制御部８は、番組共有に係る同一の番組が対応つけられたチャンネル以外のチャンネル（例えば、ｃｈ０９１−ｃｈ０１１−ｃｈ０４１・・・）を切り替える制御を行う。
【００８５】
表示装置２０は、図１に示すように、受信機本体１が受信した放送信号に基づく音声データに応じて音声を出力する音声出力部２１と、放送信号に基づく画像データに応じて画像を表示する画像表示部２２と、を有している。
【００８６】
音声出力部２１は、例えば、スピーカ機器であり、受信機本体１が受信した放送信号に基づく音声データに応じた音声を出力する。
【００８７】
画像表示部２２は、例えば、液晶表示機器であり、受信機本体１が受信した放送信号に基づく画像データに応じた画像や映像を表示する。
【００８８】
リモコン３０は、ユーザによる操作指示を制御部８に対して入力するための装置である。
【００８９】
リモコン３０は、図２に示すように、受信機本体１及び表示装置２０の動作を、赤外線等を用いて指示できるように構成されており、受信機本体１及び表示装置２０の電源をオン／オフするパワーキー３１及び３２と、放送受信機１００のチャンネル番号を入力するテンキー３３と、受信機本体１及び表示装置２０のメニュー画面を呼び出すメニューキー３５及び３６と、所望の方向にカーソルなどの移動を指示するチャンネル切替手段としての切替キー３７（３７ａ〜３７ｄ）と、入力を確定するＥＮＴＥＲキー３８と、放送受信機１００の音声ボリュームを調整するボリュームアップ／ダウンキー３９と、放送受信機１００のチャンネルの変更に用いるチャンネルアップ／ダウンキー４０等を備えている。
【００９０】
この切替キー３７は、リモコン３０の上下方向に沿う入力指示が可能な第２の入力キーである上下キー３７ａ，３７ｂと、左右方向に沿う入力指示が可能な第１の入力キーである左右キー３７ｃ，３７ｄを有する。
【００９１】
そして、左右キー３７ｃ，３７ｄは、番組共有チャンネル切替手段として、番組共有に係る同一の番組が対応つけられた各チャンネルを切り替えるための機能が割り当てられており、上下キー３７ａ，３７ｂは、番組共有に係る同一の番組が対応つけられたチャンネル以外のチャンネルを切り替えるための機能が割り当てられている。
【００９２】
次に、放送受信機１００において受信した放送信号の振り分け処理について、図３に示すフローチャートに基づき説明する。
【００９３】
まず、放送受信機１００における受信機本体１が、放送信号を受信する（ステップＳ１）。
【００９４】
そして、制御部８は、受信した放送信号が、番組共有に係る放送信号であり、その放送信号に多重放送に関する複数の多重信号が含まれているか否かを判断する（ステップＳ２）。
【００９５】
制御部８が、受信した番組共有に係る放送信号に多重放送に関する複数の多重信号が含まれていると判断すると（ステップＳ２；Ｙｅｓ）、制御部８は、番組共有に係る同一の番組が対応つけられた各チャンネルに、異なる多重信号に応じた放送信号を振り分けて設定する（ステップＳ３）。
【００９６】
一方、制御部８が、受信した放送信号に多重放送に関する複数の多重信号が含まれていると判断すると（ステップＳ２；Ｎｏ）、その放送信号を所定のチャンネルに設定する（ステップＳ４）。
【００９７】
そして、放送信号の振り分け処理を終了する。
【００９８】
次に、放送受信機１００において各チャンネルに振り分けられた放送信号に対応する番組のチャンネルをリモコン３０によって切り替えるチャンネル選択処理について、図４に示すフローチャートに基づき説明する。
【００９９】
まず、制御部８は、リモコン３０における上下キー３７ａ，３７ｂが押下された操作に関する入力指示の有無を判断する（ステップＳ１０１）。
【０１００】
制御部８が、上下キー３７ａ，３７ｂは押下されていないと判断すると（ステップＳ１０１；Ｎｏ）、ステップＳ１０３へ進む。
【０１０１】
一方、制御部８が、上下キー３７ａ，３７ｂが押下され操作されたものと判断すると（ステップＳ１０１；Ｙｅｓ）、制御部８は、番組共有に係る同一の番組が対応つけられたチャンネル以外のチャンネルに切り替える（ステップＳ１０２）。
【０１０２】
ここで、制御部８が、上下キー３７ａ，３７ｂが押下され操作されたものと判断した場合のチャンネル切り替えについて、図５に基づき説明する。
【０１０３】
現在視聴中である番組がｃｈ０１１であるときに、上下キー３７ａが押下された場合、チャンネルはｃｈ０９１に切り替わる。同様に、上下キー３７ｂが押下された場合、チャンネルはｃｈ０４１に切り替わる。この際、デフォルト設定に応じて、各チャンネルでは、「日本語音声（音声１）・字幕無」での番組放送が行われる。
【０１０４】
そして、チャンネル切替後（ステップＳ１０２）、チャンネル選択処理を終了する。
【０１０５】
ステップＳ１０３において、制御部８は、リモコン３０における左右キー３７ｃ，３７ｄが押下された操作に関する入力指示の有無を判断する（ステップＳ１０３）。
【０１０６】
制御部８が、左右キー３７ｃ，３７ｄは押下されていないと判断すると（ステップＳ１０３；Ｎｏ）、ステップＳ１０１に戻る。
【０１０７】
一方、制御部８が、左右キー３７ｃ，３７ｄが押下され操作されたものと判断すると（ステップＳ１０３；Ｙｅｓ）、制御部８は、番組共有に係る同一の番組が対応つけられたチャンネルに切り替える（ステップＳ１０４）。
【０１０８】
ここで、制御部８が、左右キー３７ｃ，３７ｄが押下され操作されたものと判断した場合のチャンネル切り替えについて、図５に基づき説明する。
【０１０９】
現在視聴中である番組がｃｈ０１１であり、そのｃｈ０１１で「日本語音声（音声１）・字幕無」での映像による番組放送が行われているときに、左右キー３７ｄが押下された場合、チャンネルは番組共有に係るｃｈ０１２に切り替わるとともに、「英語音声（音声２）・字幕無」の映像による番組放送に切り替わる。同様に、左右キー３７ｃが押下された場合、チャンネルは番組共有に係るｃｈ０１３に切り替わるとともに、「英語音声（音声２）・字幕有」の映像による番組放送に切り替わる。
【０１１０】
そして、チャンネル切替後（ステップＳ１０４）、チャンネル選択処理を終了する。
【０１１１】
このように、放送受信機１００は、受信した放送信号が番組共有に係る放送信号であり、その放送信号に多重放送に関する複数の多重信号が含まれている場合、自動的に、その番組共有に係る同一の番組が対応つけられた各チャンネルに、異なる多重信号に応じた放送信号を振り分けて設定することができる。
【０１１２】
そして、リモコン３０は、上下キー３７ａ，３７ｂの操作入力によって、番組共有に係る同一の番組が対応つけられたチャンネル以外のチャンネルの切り替えを行うことができ、また、左右キー３７ｃ，３７ｄの操作入力によって、番組共有に係る同一の番組が対応つけられたチャンネルの切り替えを行うことができるので、番組共有される多重放送の番組のチャンネルを好適に切り替えることができる。
【０１１３】
特に、番組共有される多重放送の番組のチャンネルを切り替えることに伴い、その多重
放送における異なる多重信号に応じて、音声や画像（字幕の有無）が異なるように切り替えられるので、チャンネルを切り替えた後に、多重放送に関する音声や画像（字幕の有無）を切り替えるための別操作は不要となる。
【０１１４】
つまり、デフォルメ設定から所望する音声や画像（字幕の有無）に切り替える操作が簡便化されるとともに、複数のチャンネルに亘って番組共有される多重放送の番組は、音声や画像（字幕の有無）が異なる番組として、チャンネル選択によって切り替えて視聴することができることとなり、チャンネルのバリエーションを増やしたような効果も得られる。
【０１１５】
（実施形態２）
次に、本発明に係る放送受信機及び放送受信機のチャンネル選択装置の実施形態２について説明する。なお、実施形態１と同一部分には同一符号を付し、異なる部分についてのみ説明する。
【０１１６】
多重放送設定手段としての制御部８は、番組共有に係る同一の番組が対応つけられた複数のチャンネル（例えば、ｃｈ０１１〜０１３）に対応する放送信号に、多重放送に関する音声多重信号として日本語音声信号（音声１）と英語音声信号（音声２）とが含まれていることや、多重信号に関する画像多重信号として字幕無信号と字幕有信号とが含まれていることを、判断手段としての制御部８が判断した場合に、ｃｈ０１１に「日本語音声（音声１）・字幕無」、ｃｈ０１２に「英語音声（音声２）・字幕無」、ｃｈ０１３に「日本語音声（音声１）・字幕有」のように、各チャンネルに異なる多重信号に応じた放送信号を振り分けて設定する制御を行う。
【０１１７】
キー操作判断手段としての制御部８が、左右キー３７ｃ，３７ｄが押下されたと判断した場合、制御部８は、番組共有に係る同一の番組が対応つけられ、多重信号に応じた放送信号に基づく音声を切り替えるチャンネル（例えば、ｃｈ０１２）に切り替える制御手段として機能する。
【０１１８】
また、キー操作判断手段としての制御部８が、左右キー３７ｃと上下キー３７ｂが同時に押下された、或いは、左右キー３７ｄと上下キー３７ａが同時に押下されたと判断した場合、制御部８は、番組共有に係る同一の番組が対応つけられ、多重信号に応じた放送信号に基づく画像（字幕）を切り替えるチャンネル（例えば、ｃｈ０１３）に切り替える制御手段として機能する
また、キー操作判断手段としての制御部８が、上下キー３７ａ，３７ｂが押下されたと判断した場合、制御部８は、番組共有に係る同一の番組が対応つけられたチャンネル以外のチャンネル（例えば、ｃｈ０９１−ｃｈ０１１−ｃｈ０４１・・・）を切り替える制御を行う。
【０１１９】
切替キー３７における左右キー３７ｃ，３７ｄは、番組共有チャンネル切替手段として、番組共有に係る同一の番組が対応つけられ、多重信号に応じた放送信号に基づく音声を切り替えるチャンネル（ｃｈ０１２）に切り替えるための機能が割り当てられている。
【０１２０】
また、左右キー３７ｃと上下キー３７ｂが同時に押下される操作や、左右キー３７ｄと上下キー３７ａが同時に押下される操作には、番組共有に係る同一の番組が対応つけられ、多重信号に応じた放送信号に基づく画像（字幕）を切り替えるチャンネル（ｃｈ０１３）に切り替えるための機能が割り当てられている。
【０１２１】
また、切替キー３７における上下キー３７ａ，３７ｂは、番組共有に係る同一の番組が対応つけられたチャンネル以外のチャンネルを切り替えるための機能が割り当てられている。
【０１２２】
次に、実施形態２における、放送受信機１００の各チャンネルに振り分けられた放送信号に対応する番組のチャンネルをリモコン３０によって切り替えるチャンネル選択処理に
ついて、図６に示すフローチャートに基づき説明する。
【０１２３】
まず、制御部８は、リモコン３０における上下キー３７ａ，３７ｂが押下された操作に関する入力指示の有無を判断する（ステップＳ２０１）。
【０１２４】
制御部８が、上下キー３７ａ，３７ｂは押下されていないと判断すると（ステップＳ２０１；Ｎｏ）、ステップＳ２０３へ進む。
【０１２５】
一方、制御部８が、上下キー３７ａ，３７ｂが押下され操作されたものと判断すると（ステップＳ２０１；Ｙｅｓ）、制御部８は、番組共有に係る同一の番組が対応つけられたチャンネル以外のチャンネルに切り替える（ステップＳ２０２）。
【０１２６】
ここで、制御部８が、上下キー３７ａ，３７ｂが押下され操作されたものと判断した場合のチャンネル切り替えについて、図７に基づき説明する。
【０１２７】
現在視聴中である番組がｃｈ０１１であるときに、上下キー３７ａが押下された場合、チャンネルはｃｈ０９１に切り替わる。同様に、上下キー３７ｂが押下された場合、チャンネルはｃｈ０４１に切り替わる。この際、デフォルト設定に応じて、各チャンネルでは、「日本語音声（音声１）・字幕無」での番組放送が行われる。
【０１２８】
そして、チャンネル切替後（ステップＳ２０２）、チャンネル選択処理を終了する。
【０１２９】
ステップＳ２０３において、制御部８は、リモコン３０における左右キー３７ｃ，３７ｄが押下された操作に関する入力指示の有無を判断する（ステップＳ２０３）。
【０１３０】
制御部８が、左右キー３７ｃ，３７ｄは押下されていないと判断すると（ステップＳ２０３；Ｎｏ）、ステップＳ２０５へ進む。
【０１３１】
一方、制御部８が、左右キー３７ｃ，３７ｄが押下され操作されたものと判断すると（ステップＳ２０３；Ｙｅｓ）、制御部８は、番組共有に係る同一の番組が対応つけられ、多重信号に応じた放送信号に基づく音声を切り替えるチャンネルに切り替える（ステップＳ２０４）。
【０１３２】
ここで、制御部８が、左右キー３７ｃ，３７ｄが押下され操作されたものと判断した場合のチャンネル切り替えについて、図７に基づき説明する。
【０１３３】
現在視聴中である番組がｃｈ０１１であり、そのｃｈ０１１で「日本語音声（音声１）・字幕無」での映像による番組放送が行われているときに、左右キー３７ｃ或いは左右キー３７ｄが押下された場合、チャンネルは番組共有に係るｃｈ０１２に切り替わるとともに、「英語音声（音声２）・字幕無」の映像による番組放送に切り替わる。
【０１３４】
そして、チャンネル切替後（ステップＳ２０４）、チャンネル選択処理を終了する。
【０１３５】
ステップＳ２０５において、制御部８は、リモコン３０における左右キー３７ｃと上下キー３７ｂが同時に、或いは、左右キー３７ｄと上下キー３７ａが同時に押下された操作に関する入力指示の有無を判断する（ステップＳ２０５）。
【０１３６】
制御部８が、左右キー３７ｃと上下キー３７ｂ、或いは、左右キー３７ｄと上下キー３７ａが同時に押下されていないと判断すると（ステップＳ２０５；Ｎｏ）、ステップＳ２０１に戻る。
【０１３７】
一方、制御部８が、左右キー３７ｃと上下キー３７ｂ、或いは、左右キー３７ｄと上下キー３７ａが同時に押下され操作されたものと判断すると（ステップＳ２０５；Ｙｅｓ）、制御部８は、番組共有に係る同一の番組が対応つけられ、多重信号に応じた放送信号に基づく画像（字幕）を切り替えるチャンネルに切り替える（ステップＳ２０６）。
【０１３８】
ここで、制御部８が、左右キー３７ｃと上下キー３７ｂ、或いは、左右キー３７ｄと上下キー３７ａが同時に押下され操作されたものと判断した場合のチャンネル切り替えについて、図７に基づき説明する。
【０１３９】
現在視聴中である番組がｃｈ０１１であり、そのｃｈ０１１で「日本語音声（音声１）
・字幕無」での映像による番組放送が行われているときに、左右キー３７ｃと上下キー３７ｂ、或いは、左右キー３７ｄと上下キー３７ａが同時に押下された場合、チャンネルは番組共有に係るｃｈ０１３に切り替わるとともに、「日本語音声（音声１）・字幕有」の映像による番組放送に切り替わる。
【０１４０】
そして、チャンネル切替後（ステップＳ２０６）、チャンネル選択処理を終了する。
【０１４１】
このように、リモコン３０は、左右キー３７ｃ，３７ｄの操作入力によって、番組共有に係る同一の番組が対応つけられたチャンネルを切り替えることに伴い、その多重放送における異なる多重信号に応じて音声が異なるチャンネルに切り替えることができる。
【０１４２】
また、リモコン３０は、左右キー３７ｃと上下キー３７ｂ、或いは、左右キー３７ｄと上下キー３７ａが同時に押下された操作入力によって、番組共有に係る同一の番組が対応つけられたチャンネルの切り替えることに伴い、その多重放送における異なる多重信号に応じて画像（字幕の有無）が異なるチャンネルに切り替えることができる。
【０１４３】
よって、番組共有される多重放送の番組のチャンネルを好適に切り替えることができるとともに、番組共有される多重放送の番組のチャンネルを、それぞれのキー操作により切り替えることに伴い、その多重放送における異なる多重信号に応じて、音声の切り替えや、画像（字幕の有無）の切り替えをそれぞれ行うことができる。
【０１４４】
特に、左右キー３７ｃと上下キー３７ｂ、或いは、左右キー３７ｄと上下キー３７ａを同時に押下する操作に、チャンネル変更の機能を割り当てることによって、そのチャンネル変更を行うための新たなキーやボタン、スイッチを設ける必要がないので、リモコン３０の操作キーは既存のものでよい。つまり、新たな操作キーなどを設けることに伴い、リモコン３０の操作性を悪化させてしまうことを防止することができる。
【０１４５】
なお、上下キー３７ａ，３７ｂと左右キー３７ｃ，３７ｄとを同時に押下する、斜め方向へのキー入力によるチャンネル切り替えは、図８に示すように、左傾斜方向へのキー入力、右傾斜方向へのキー入力の両方によって行ってもよい。その場合における放送受信機及び放送受信機のチャンネル選択装置の実施形態について、以下に説明する。なお、実施形態１と同一部分には同一符号を付し、異なる部分についてのみ説明する。
【０１４６】
多重放送設定手段としての制御部８は、番組共有に係る同一の番組が対応つけられた複数のチャンネル（例えば、ｃｈ０１１〜０１４）に対応する放送信号に、多重放送に関する音声多重信号として日本語音声信号（音声１）と英語音声信号（音声２）とが含まれていることや、多重信号に関する画像多重信号として字幕無信号と字幕有信号とが含まれていることを、判断手段としての制御部８が判断した場合に、ｃｈ０１１に「日本語音声（音声１）・字幕無」、ｃｈ０１２に「英語音声（音声２）・字幕無」、ｃｈ０１３に「日本語音声（音声１）・字幕有」、ｃｈ０１４に「英語音声（音声２）・字幕有」のように、各チャンネルに異なる多重信号に応じた放送信号を振り分けて設定する制御を行う。
【０１４７】
キー操作判断手段としての制御部８が、左右キー３７ｃ，３７ｄが押下されたと判断した場合、制御部８は、番組共有に係る同一の番組が対応つけられ、多重信号に応じた放送信号に基づく音声を切り替えるチャンネル（例えば、ｃｈ０１２）に切り替える制御を行う。
【０１４８】
また、キー操作判断手段としての制御部８が、左右キー３７ｃと上下キー３７ｂが同時に押下された、或いは、左右キー３７ｄと上下キー３７ａが同時に押下されたと判断した場合、制御部８は、番組共有に係る同一の番組が対応つけられ、多重信号に応じた放送信号に基づく画像（字幕）を切り替えるチャンネル（例えば、ｃｈ０１３）に切り替える制御を行う。
【０１４９】
また、キー操作判断手段としての制御部８が、左右キー３７ｃと上下キー３７ａが同時に押下された、或いは、左右キー３７ｄと上下キー３７ｂが同時に押下されたと判断した場合、制御部８は、番組共有に係る同一の番組が対応つけられ、多重信号に応じた放送信
号に基づく音声と画像（字幕）をともに切り替えるチャンネル（例えば、ｃｈ０１４）に切り替える制御を行う。
【０１５０】
また、キー操作判断手段としての制御部８が、上下キー３７ａ，３７ｂが押下されたと判断した場合、制御部８は、番組共有に係る同一の番組が対応つけられたチャンネル以外のチャンネル（例えば、ｃｈ０９１−ｃｈ０１１−ｃｈ０４１・・・）を切り替える制御を行う。
【０１５１】
切替キー３７における左右キー３７ｃ，３７ｄは、番組共有チャンネル切替手段として、番組共有に係る同一の番組が対応つけられ、多重信号に応じた放送信号に基づく音声を切り替えるチャンネル（ｃｈ０１２）に切り替えるための機能が割り当てられている。
【０１５２】
また、左右キー３７ｃと上下キー３７ｂが同時に押下される操作や、左右キー３７ｄと上下キー３７ａが同時に押下される操作には、番組共有に係る同一の番組が対応つけられ、多重信号に応じた放送信号に基づく画像（字幕）を切り替えるチャンネル（ｃｈ０１３）に切り替えるための機能が割り当てられている。
【０１５３】
また、左右キー３７ｃと上下キー３７ａが同時に押下される操作や、左右キー３７ｄと上下キー３７ｂが同時に押下される操作には、番組共有に係る同一の番組が対応つけられ、多重信号に応じた放送信号に基づく音声と画像（字幕）をともに切り替えるチャンネル（ｃｈ０１４）に切り替えるための機能が割り当てられている。
【０１５４】
また、切替キー３７における上下キー３７ａ，３７ｂは、番組共有に係る同一の番組が対応つけられたチャンネル以外のチャンネルを切り替えるための機能が割り当てられている。
【０１５５】
そして、図８に示すように、現在視聴中である番組がｃｈ０１１であるときに、上下キー３７ａが押下された場合、チャンネルはｃｈ０９１に切り替わる。同様に、上下キー３７ｂが押下された場合、チャンネルはｃｈ０４１に切り替わる。この際、デフォルト設定に応じて、各チャンネルでは、「日本語音声（音声１）・字幕無」での番組放送が行われる。
【０１５６】
また、現在視聴中である番組がｃｈ０１１であり、そのｃｈ０１１で「日本語音声（音声１）・字幕無」での映像による番組放送が行われているときに、左右キー３７ｃ或いは左右キー３７ｄが押下された場合、チャンネルは番組共有に係るｃｈ０１２に切り替わるとともに、「英語音声（音声２）・字幕無」の映像による番組放送に切り替わる。
【０１５７】
また、現在視聴中である番組がｃｈ０１１であり、そのｃｈ０１１で「日本語音声（音声１）・字幕無」での映像による番組放送が行われているときに、左右キー３７ｃと上下キー３７ｂ、或いは、左右キー３７ｄと上下キー３７ａが同時に押下された場合、チャンネルは番組共有に係るｃｈ０１３に切り替わるとともに、「日本語音声（音声１）・字幕有」の映像による番組放送に切り替わる。
【０１５８】
また、現在視聴中である番組がｃｈ０１１であり、そのｃｈ０１１で「日本語音声（音声１）・字幕無」での映像による番組放送が行われているときに、左右キー３７ｃと上下キー３７ａ、或いは、左右キー３７ｄと上下キー３７ｂが同時に押下された場合、チャンネルは番組共有に係るｃｈ０１４に切り替わるとともに、「英語音声（音声２）・字幕有」の映像による番組放送に切り替わる。
【０１５９】
このようなキー入力によるチャンネル切り替えによっても、実施形態２と同様の効果が得られる。
【０１６０】
なお、以上の実施の形態においては、放送受信機のチャンネル選択装置としてリモコン３０を挙げて説明したが、本発明はこれに限定されるものではなく、放送受信機のチャンネル選択装置は受信機本体１に備えられる操作ボタン群とするようにしてもよい。
【０１６１】
また、上下キー３７ａ，３７ｂや、左右キー３７ｃ，３７ｄなどに割り当てる機能は、
それぞれ入れ替えるようにしてもよい。
【０１６２】
また、上下キー３７ａ，３７ｂと左右キー３７ｃ，３７ｄとを同時に押下する、斜め方向へのキー入力による操作は、多重放送に関するチャンネルの切り替え操作のための機能に限らず、例えば、ＤＶＤ機器などの録画再生装置が一体に設けられている放送受信機である場合、番組の録画や再生に関する機能を割り当ててもよく、また、インターネットへの接続が可能な放送受信機である場合、インターネットとテレビジョン視聴とを切り替えるネットワーク切り替えに関する機能を割り当ててもよい。
【０１６３】
また、その他、具体的な細部構造等についても適宜に変更可能であることは勿論である。
【図面の簡単な説明】
【０１６４】
【図１】本発明に係る放送受信機の要部構成を示すブロック図である。
【図２】本発明に係るリモコンの平面図である。
【図３】放送受信機において受信した放送信号の振り分け処理を示すフローチャートである。
【図４】放送受信機の各チャンネルに振り分けられた放送信号に対応する番組のチャンネルを切り替えるチャンネル選択処理を示すフローチャートである。
【図５】チャンネル切り替えの構成を示す説明図である。
【図６】実施形態２におけるチャンネル選択処理を示すフローチャートである。
【図７】実施形態２におけるチャンネル切り替えの構成を示す説明図である。
【図８】他の実施形態におけるチャンネル切り替えの構成を示す説明図である。
【図９】デジタル／アナログ放送受信機により受信されるデジタル放送のチャンネル構成を示す説明図である。
【符号の説明】
【０１６５】
１      受信機本体（受信部）
２      チューナ
３      デジタルデコーダ
４      アナログデコーダ
５      スイッチ
６      ＯＳＤ回路
７      メモリ
８      制御部（判断手段、多重放送設定手段、制御手段）
１０    アンテナ
２０    表示装置
２１    音声出力部
２２    画像表示部
３０    リモコン（放送受信機のチャンネル選択装置）
３７    切替キー（チャンネル切替手段）
３７ａ，３７ｂ  上下キー
３７ｃ，３７ｄ  左右キー（番組共有チャンネル切替手段）
１００  放送受信機
【図１】
2006332851.tif 000003
【図２】
2006332851.tif 000004
【図３】
2006332851.tif 000005
【図４】
2006332851.tif 000006
【図５】
2006332851.tif 000007
【図６】
2006332851.tif 000008
【図７】
2006332851.tif 000009
【図８】
2006332851.tif 000010
【図９】
2006332851.tif 000011